【手続補正書】
【提出日】平成24年1月17日(2012.1.17)
【手続補正１】
【補正対象書類名】特許請求の範囲
【補正対象項目名】全文
【補正方法】変更
【補正の内容】
【特許請求の範囲】
【請求項１】
原動機の駆動により回転する駆動側回転体と、
前記駆動側回転体に摩擦材を介して接触することにより回転する従動側回転体とを備え、前記従動側回転体に連結された被動体に前記原動機の駆動力を伝達または遮断するクラッチ装置における前記従動側回転体の製造方法であって、
７２０℃以上かつ７６０℃以下に加熱したアンモニアを含む雰囲気中に前記従動側回転体を配置して前記従動側回転体における前記表層に前記窒素含有層を形成させる窒素含有層形成工程と、
前記窒素含有層が形成された前記従動側回転体を冷却液内で急冷することにより前記窒素含有層をマルテンサイト組織に変態させる焼入れ工程と、
前記冷却液内から取り出した前記従動側回転体を乾燥炉で乾燥させつつじん性を回復させる乾燥工程とを含むことを特徴とする従動側回転体の製造方法。
【請求項２】
請求項１に記載した従動側回転体の製造方法において、
前記乾燥工程は、約１４０℃の温度で前記従動側回転体を処理することを特徴とする従動側回転体の製造方法。
【請求項３】
請求項１または請求項２に記載した従動側回転体の製造方法において、さらに、
前記焼入れ工程の後、室温まで冷却した前記従動側回転体を更に０℃以下に冷却する深冷処理工程を含むことを特徴とする従動側回転体の製造方法。
【請求項４】
原動機の駆動により回転する駆動側回転体と、
前記駆動側回転体に摩擦材を介して接触することにより回転する従動側回転体とを備え、前記従動側回転体に連結された被動体に前記原動機の駆動力を伝達または遮断するクラッチ装置における前記従動側回転体において、
前記従動側回転体は、前記請求項１ないし前記請求項３のうちのいずれか１つに記載した従動側回転体の製造方法を用いて製造されたことを特徴とする従動側回転体。
【請求項５】
原動機の駆動により回転する駆動側回転体と、
前記駆動側回転体に摩擦材を介して接触することにより回転する従動側回転体とを備え、前記従動側回転体に連結された被動体に前記原動機の駆動力を伝達または遮断するクラッチ装置の製造方法であって、
７２０℃以上かつ７６０℃以下に加熱したアンモニアを含む雰囲気中に前記従動側回転体を配置して前記従動側回転体における前記表層に前記窒素含有層を形成させる窒素含有層形成工程と、
前記窒素含有層が形成された前記従動側回転体を冷却液内で急冷することにより前記窒素含有層をマルテンサイト組織に変態させる焼入れ工程と、
前記冷却液内から取り出した前記従動側回転体を乾燥炉で乾燥させつつじん性を回復させる乾燥工程とを含むことを特徴とする従動側回転体の製造方法。
【請求項６】
原動機の駆動により回転する駆動側回転体と、
前記駆動側回転体に摩擦材を介して接触することにより回転する従動側回転体とを備え、前記従動側回転体に連結された被動体に前記原動機の駆動力を伝達または遮断するクラッチ装置において、
前記従動側回転体は、前記請求項５に記載した従動側回転体の製造方法を用いて製造されたことを特徴とするクラッチ装置。
【手続補正２】
【補正対象書類名】明細書
【補正対象項目名】０００７
【補正方法】変更
【補正の内容】
【０００７】
上記目的を達成するため、請求項１に係る本発明の特徴は、原動機の駆動により回転する駆動側回転体と、駆動側回転体に摩擦材を介して接触することにより回転する従動側回転体とを備え、従動側回転体に連結された被動体に原動機の駆動力を伝達または遮断するクラッチ装置における従動側回転体の製造方法であって、７２０℃以上かつ７６０℃以下に加熱したアンモニアを含む雰囲気中に従動側回転体を配置して従動側回転体における表層に窒素含有層を形成させる窒素含有層形成工程と、窒素含有層が形成された従動側回転体を冷却液内で急冷することにより窒素含有層をマルテンサイト組織に変態させる焼入れ工程と、冷却液内から取り出した従動側回転体を乾燥炉で乾燥させつつじん性を回復させる乾燥工程とを含むことにある。
【手続補正３】
【補正対象書類名】明細書
【補正対象項目名】０００８
【補正方法】変更
【補正の内容】
【０００８】
この場合、前記従動側回転体の製造方法において、乾燥工程は、約１４０℃の温度で従動側回転体を処理するとよい。
【手続補正４】
【補正対象書類名】明細書
【補正対象項目名】０００９
【補正方法】変更
【補正の内容】
【０００９】
また、これらの場合、従動側回転体の製造方法において、さらに、焼入れ工程の後、室温まで冷却した前記従動側回転体を更に０℃以下に冷却する深冷処理工程を含むとよい。
【手続補正５】
【補正対象書類名】明細書
【補正対象項目名】００１０
【補正方法】変更
【補正の内容】
【００１０】
このように構成した請求項１に係る本発明の特徴によれば、原動機の駆動力を被動体に伝達または遮断するクラッチ装置において原動機の駆動により回転する駆動側回転体に摩擦材を介して接触する従動側回転体は、同摩擦材が接触する表層に窒素を固溶した窒素含有層がマルテンサイト組織によって形成されている。この場合、本発明者によれば、従動側回転体の表層に形成した窒素含有層の表面にはポーラス層は確認されなかった。このため、従動側回転体が駆動側回転体に長時間接触することによる従動側回転体の接触面の鏡面化が防止される。また、この場合、窒素含有層は３０〜６０分で形成される。これらの結果、駆動側回転体と従動側回転体との摩擦特性の経時変化を抑えることができ、クラッチ装置における動力伝達特性を長期間維持することができるとともに、同従動側回転体、延いてはクラッチ装置を効率良く生産することができる。
【手続補正６】
【補正対象書類名】明細書
【補正対象項目名】００１１
【補正方法】変更
【補正の内容】
【００１１】
さらに、本発明は、従動側回転体の製造方法の発明として実施できるばかりでなく、同製造方法による従動側回転体の発明、同従動側回転体を備えたクラッチ装置の製造方法の発明、および同製造方法による従動側回転体を備えたクラッチ装置の発明としても実施できるものである。

【手続補正７】
【補正対象書類名】明細書
【補正対象項目名】００１２
【補正方法】変更
【補正の内容】
【００１２】
すなわち、請求項４に係る本発明の他の特徴は、原動機の駆動により回転する駆動側回転体と、駆動側回転体に摩擦材を介して接触することにより回転する従動側回転体とを備え、従動側回転体に連結された被動体に原動機の駆動力を伝達または遮断するクラッチ装置における従動側回転体において、従動側回転体は、前記請求項１ないし前記請求項３のうちのいずれか１つに記載した従動側回転体の製造方法を用いて製造されたことにある。
【手続補正８】
【補正対象書類名】明細書
【補正対象項目名】００１３
【補正方法】変更
【補正の内容】
【００１３】
また、請求項５に係る本発明の他の特徴は、原動機の駆動により回転する駆動側回転体と、駆動側回転体に摩擦材を介して接触することにより回転する従動側回転体とを備え、従動側回転体に連結された被動体に原動機の駆動力を伝達または遮断するクラッチ装置の製造方法であって、７２０℃以上かつ７６０℃以下に加熱したアンモニアを含む雰囲気中に従動側回転体を配置して従動側回転体における表層に窒素含有層を形成させる窒素含有層形成工程と、窒素含有層が形成された従動側回転体を冷却液内で急冷することにより窒素含有層をマルテンサイト組織に変態させる焼入れ工程と、冷却液内から取り出した従動側回転体を乾燥炉で乾燥させつつじん性を回復させる乾燥工程とを含むことにある。
【手続補正９】
【補正対象書類名】明細書
【補正対象項目名】００１４
【補正方法】変更
【補正の内容】
【００１４】
また、請求項６に係る本発明の他の特徴は、原動機の駆動により回転する駆動側回転体と、駆動側回転体に摩擦材を介して接触することにより回転する従動側回転体とを備え、従動側回転体に連結された被動体に原動機の駆動力を伝達または遮断するクラッチ装置において、従動側回転体は、前記請求項５に記載した従動側回転体の製造方法を用いて製造されたことにある。
【手続補正１０】
【補正対象書類名】明細書
【補正対象項目名】００１５
【補正方法】変更
【補正の内容】
【００１５】
これらの各請求項４〜６に係る本発明の他の特徴によっても、上記請求項１に係る発明と同様の効果を期待することができる。